(57)【特許請求の範囲】
【請求項１】
１つのサブネットおよび幹線ネットワークに接続するパケット中継装置において、上記パケット中継装置と上記サブネットに接続された他パケット中継装置との間の上記サブネットの分断を検出する手段と、分断していると検出された上記サブネットから到着したパケットを上記パケット中継装置が始点で上記他パケット中継装置が終点と成る中継用パケットにカプセル化して上記幹線ネットワークに中継する手段と、上記幹線ネットワークから到着した中継用パケットをデカプセル化して上記サブネットに中継する手段とを備えたことを特徴とするパケット中継装置。
【請求項２】
複数のサブネットおよび幹線ネットワークに接続するパケット中継装置において、上記サブネット毎に上記パケット中継装置と上記複数のサブネットにそれぞれ接続された複数の他パケット中継装置と間の分断をそれぞれ検出する手段と、分断していると検出されたサブネットから到着したパケットを上記パケット中継装置が始点で上記分断していると検出されたサブネットに接続されている他パケット中継装置が終点と成る中継用パケットにカプセル化して上記幹線ネットワークに中継する手段と、上記幹線ネットワークから到着した中継用パケットをデカプセル化して分断していると検出されたサブネットに中継する手段とを備えたことを特徴とするパケット中継装置。
【請求項３】
複数のサブネットおよび幹線ネットワークに接続するパケット中継装置において、上記パケット中継装置と上記複数のサブネットにそれぞれ接続された複数の他パケット中継装置との間の上記複数のサブネットにおける分断を検出する手段と、上記複数のサブネットのいずれかが分断していると検出されると上記複数のサブネットのいずれかから到着したパケットを上記パケット中継装置が始点で上記複数の他パケット中継装置の全てが終点と成るマルチキャストの中継用パケットにカプセル化して上記幹線ネットワークに中継する手段と、上記幹線ネットワークから到着したマルチキャストの中継用パケットをデカプセル化して上記複数のサブネット毎に中継すべきパケットを振り分けて中継する手段を備えたことを特徴とするパケット中継装置。
【請求項４】
上記分断していると検出されたサブネットから到着したパケットが、上記分断していると検出されたサブネット上の上記パケット中継装置が接続されている側に中継すべきパケットの場合に廃棄する手段を備えたことを特徴とする請求項１ないし請求項３のいずれかに記載のパケット中継装置。
【請求項５】
上記パケットをＩＰレイヤ中継する手段を備え、上記サブネットから上記幹線ネットワークに接続されている端末または上記端末から上記サブネットに上記パケットを上記ＩＰレイヤ中継により中継することを特徴とする請求項１ないし請求項４のいずれかに記載のパケット中継装置。
【請求項６】
サブネットおよび幹線ネットワークに接続する自パケット中継装置および他パケット中継装置とを備えたパケット中継システムにおいて、上記自パケット中継装置と上記他パケット中継装置との間の上記サブネットの分断を検出し、上記自パケット中継装置に上記分断していると検出されたサブネットからパケットが到着すると、上記パケットを上記自パケット中継装置が始点で上記他パケット中継装置が終点と成る中継用パケットにカプセル化して、上記自パケット中継装置から上記幹線ネットワークに中継し、上記他パケット中継装置は上記幹線ネットワークから上記中継用パケットが到着すると、上記中継用パケットをデカプセル化して上記サブネットに中継することを特徴とするパケット中継システム。
【請求項７】
複数のサブネットおよび幹線ネットワークに接続する自パケット中継装置と、上記いずれかのサブネットおよび上記幹線ネットワークに接続する複数の他パケット中継装置とを備えたパケット中継システムにおいて、上記サブネット毎に上記自パケット中継装置と上記複数の他パケット中継装置と間の分断をそれぞれ検出し、上記自パケット中継装置に上記分断していると検出されたサブネットからパケットが到着すると、上記パケットを上記自パケット中継装置が始点で上記分断していると検出されたサブネットに接続されている他パケット中継装置が終点と成る中継用パケットにカプセル化して、上記自パケット中継装置から上記幹線ネットワークに中継し、上記他パケット中継装置は上記幹線ネットワークから上記中継用パケットが到着すると、上記中継用パケットをデカプセル化して上記分断していると検出されたサブネットに中継することを特徴とするパケット中継システム。
【請求項８】
複数のサブネットおよび幹線ネットワークに接続する自パケット中継装置と、上記いずれかのサブネットおよび上記幹線ネットワークに接続する複数の他パケット中継装置とを備えたパケット中継システムにおいて、上記自パケット中継装置と上記複数の他パケット中継装置と間の上記複数のサブネットにおける分断を検出し、上記複数のサブネットのいずれかが分断していると検出されると上記自パケット中継装置に上記複数のサブネットのいずれかからパケットが到着すると、上記パケットを上記自パケット中継装置が始点で上記複数の他パケット中継装置の全てが終点と成るマルチキャストの中継用パケットにカプセル化して、上記自パケット中継装置から上記幹線ネットワークに中継し、上記他パケット中継装置は上記幹線ネットワークから上記中継用パケットが到着すると、上記中継用パケットをデカプセル化して、これらの内、上記他パケット中継装置が接続されているサブネットに中継すべきパケットのみ中継することを特徴とするパケット中継システム。
【請求項９】
上記分断していると検出されたサブネットから到着したパケットが、上記分断していると検出されたサブネット上の上記パケット中継装置が接続されている側に中継すべきパケットの場合には廃棄することを特徴とする請求項６ないし請求項８のいずれかに記載のパケット中継システム。
【請求項１０】
上記幹線ネットワークに接続されている端末を備えたパケット中継システムにおいて、上記端末と上記サブネットと間においてパケットを送信する場合、上記自パケット中継装置は到着した上記パケットをＩＰレイヤ中継により上記サブネットまたは上記端末に上記幹線ネットワークを介して中継することを特徴とする請求項６ないし請求項９のいずれかに記載のパケット中継システム。
【発明の詳細な説明】
【技術分野】
【０００１】
この発明は、サブネットと幹線ネットワークとを接続し、サブネット分断時に幹線ネットワークを用いてパケットを迂回中継することができるパケット中継装置およびパケット中継システムに関するものである。
【背景技術】
【０００２】
従来のＩＰネットワークにおいて、ルータによって他のネットワークと区切られたサブネット内の端末同士は、ルータを介さずに直接パケットを送受し、サブネット内の端末とサブネット外の端末とは、ルータを介してパケットを送受する。よって、サブネット内の端末とサブネット外の端末と間の通信において、ルータが故障した場合に備え、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅの略）でＶＲＲＰ（Ｖｉｒｔｕａｌ  Ｒｏｕｔｅｒ  Ｒｅｄｕｎｄａｎｃｙ  Ｐｒｏｔｏｃｏｌの略）等のルータを二重化するプロトコルが提案されている。この従来技術によれば、二重化されたルータのうちマスタルータが故障しても、バックアップルータがサブネット内の端末とサブネット外の端末と間のパケット中継の役目を引き継ぎ、通信を回復する利点が得られる。また、この機能を強化し、ルータが故障した場合ばかりでなく、サブネットが分断した場合でもサブネット内の端末とサブネット外の端末と間の通信を継続し、サブネット内の端末とサブネット外の端末との間の通信を速やかに回復するプロトコルが提案されている（例えば、特許文献１参照）。
【０００３】
【特許文献１】特開２００５−１９２０２７号公報（第１４頁、第１図）
【発明の開示】
【発明が解決しようとする課題】
【０００４】
従来のネットワーク制御システムでは、サブネットが分断した場合に、同じＩＰネットワークアドレスを持つサブネットがルータを挟んで２つ存在するため、サブネット内の端末同士は、通信を継続できないという問題点があった。
【０００５】
この発明は上記のような課題を解決するためになされたものであり、サブネットが分断した場合、サブネット内の端末同士の通信を継続できるパケット中継装置およびパケット中継システムを提供することを目的とする。
【課題を解決するための手段】
【０００６】
この発明は、１つのサブネットおよび幹線ネットワークに接続するパケット中継装置において、パケット中継装置とサブネットに接続された他パケット中継装置との間のサブネットの分断を検出する手段と、分断していると検出されたサブネットから到着したパケットをパケット中継装置が始点で他パケット中継装置が終点と成る中継用パケットにカプセル化して幹線ネットワークに中継する手段と、幹線ネットワークから到着した中継用パケットをデカプセル化してサブネットに中継する手段とを備えたものである。
【発明の効果】
【０００７】
この発明のパケット中継装置は、１つのサブネットおよび幹線ネットワークに接続するパケット中継装置において、パケット中継装置とサブネットに接続された他パケット中継装置との間のサブネットの分断を検出する手段と、分断していると検出されたサブネットから到着したパケットをパケット中継装置が始点で他パケット中継装置が終点と成る中継用パケットにカプセル化して幹線ネットワークに中継する手段と、幹線ネットワークから到着した中継用パケットをデカプセル化してサブネットに中継する手段とを備えたので、サブネットが分断した場合でも、サブネット内の端末同士の通信を継続できる。
【発明を実施するための最良の形態】
【０００８】
実施の形態１．
以下、本願発明の実施の形態について説明する。図１はこの発明の実施の形態１におけるパケット中継装置の構成を示すブロック図、図２は図１に示したパケット中継装置を用いたパケット中継システムの構成を示す図である。図において、パケット中継装置１ａ、１ｂは、サブネット２に支線ポート８を介して、幹線ネットワーク３に幹線ポート９を介してそれぞれ接続されている。尚、幹線ネットワーク３とは、ルータによって区切られた複数のサブネットの集合である。そして、サブネット２には端末４ａ、４ｂが接続されている。尚、端末の個数は図示した個数に限定されるものではない。サブネット２には１つのＩＰネットワークアドレスが割り当てられている。パケット中継装置１ａ、１ｂの支線ポート８および端末４ａ、４ｂには、このサブネット２に割り当てられたＩＰネットワークアドレスに属するＩＰホストアドレスが割り当てられる。
【０００９】
パケット中継装置１ａ、１ｂの幹線ポート９には、幹線ネットワーク３に対するＩＰホストアドレスが割り当てられる。分断検出部５は他の分断検出部５とヘルスチェックパケットを定期的に送受し、サブネット２の分断有無を検出している。カプセル化部６は、サブネット２の分断が検出されると、支線ポート８にて受信されるＩＰパケットをＩＰパケットヘッダとしてパケット中継装置が始点で他パケット中継装置が終点と成るアドレスを付加したＩＰカプセル化パケット（以下、中継用パケットと称す）にカプセル化して、幹線ポート９を介して幹線ネットワーク３に中継する。デカプセル化部７は、幹線ポート９にて受信される中継用パケットをデカプセル化して、支線ポート８を介してサブネット２に中継する。
【００１０】
次に、上記のように構成された実施の形態１のパケット中継装置を備えたパケット中継システムの動作について説明する。尚、ここでは説明の便宜上、自パケット中継装置１ａと、他パケット中継装置１ｂとして説明する。通常サブネット２が分断されていない場合には、端末４ａ、４ｂは、幹線ネットワーク３を介さずにサブネット２内で直接ＩＰパケットを送受している。そして、自パケット中継装置１ａの分断検出部５は、支線ポート８に接続されたサブネット２を通して他パケット中継装置１ｂの分断検出部５と、ヘルスチェックパケットを定期的に送受し、サブネット２の分断有無を検出している。次に、分断検出部５にてサブネット２の分断が検出されると、自パケット中継装置１ａのカプセル化部６は、支線ポート８から受信した端末４ａからのＩＰパケットに新たなＩＰパケットヘッダを付加した中継用パケットを作成して、幹線ポート９を介して幹線ネットワーク３に中継する（図２の矢印の流れ参照）。この際のＩＰパケットヘッダの送信元ＩＰアドレスは、幹線ネットワーク３に対する自パケット中継装置１ａのＩＰホストアドレスが設定されており、宛先ＩＰアドレスは、幹線ネットワーク３に対する他パケット中継装置１ｂのＩＰホストアドレスが設定されている。
【００１１】
次に、他パケット中継装置１ｂのデカプセル化部７は、幹線ポート９を介して幹線ネットワーク３から到着した中継用パケットからＩＰパケットヘッダを削除しデカプセル化して、支線ポート８を介してサブネット２に中継する。次に、端末４ｂは、この復元されたＩＰパケットを受信することにより端末４ａからのＩＰパケットを受信することができる（図２の矢印の流れ参照）。尚、ここでは便宜上、自中継パケット装置１ａから他中継パケット装置１ｂへのパケットの流れ、すなわち端末４ａから端末４ｂへのパケットの流れについて示したが、他中継パケット装置１ｂから自中継パケット装置１ａへのパケットの流れすなわち端末４ｂから端末４ａへの流れも同様に中継することが可能であることは言うまでもない。
【００１２】
上記のように構成された実施の形態１のパケット中継装置を備えたパケット中継システムによれば、パケット中継装置が、サブネット分断時に幹線ネットワークを冗長経路として中継用パケットを送受するため、サブネットを通してパケットを直接送受できない各端末同士の通信を継続することが可能となる。
【００１３】
実施の形態２．
図３はこの発明の実施の形態２における第２のパケット中継装置の構成を示すブロック図、図４は図３に示した第２のパケット中継装置を用いたパケット中継システムの構成を示した図である。図において、上記実施の形態１と同様の部分は同一符号を付して説明を省略する。サブネット２ａには支線ポート８ａを介して、サブネット２ｂには支線ポート８ｂを介して、および幹線ネットワーク３には幹線ポート９を介してそれぞれ接続された第２のパケット中継装置１１と、サブネット２ａおよび幹線ネットワーク３にそれぞれ接続されているパケット中継装置１ａと、サブネット２ｂおよび幹線ネットワーク３にそれぞれ接続されているパケット中継装置１ｂとを備えている。端末４ａ、４ｂは、サブネット２ａに接続され、端末４ｃ、４ｄは、サブネット２ｂに接続されている。尚、サブネットおよび端末の個数は図示した個数に限定されるものではない。
【００１４】
サブネット２ａ、２ｂにはそれぞれ１つのＩＰネットワークアドレスが割り当てられている。パケット中継装置１ａ、１ｂの支線ポート８および端末４ａ、４ｂ、４ｃ、４ｄには、これらサブネット２ａ、２ｂに割り当てられたＩＰネットワークアドレスにそれぞれ属するＩＰホストアドレスが割り当てられる。パケット中継装置１ａ、１ｂおよび第２のパケット中継装置１１の幹線ポート９には、幹線ネットワーク３に対するＩＰホストアドレスが割り当てられる。分断検出部５ａはサブネット２ａの、分断検出部５ｂはサブネット２ｂの分断有無をそれぞれ検出している。カプセル化部６ａはサブネット２ａの分断が検出されると、また、カプセル化部６ｂはサブネット２ｂの分断が検出されるＩＰパケットを中継用パケットにカプセル化する。振り分け部１０は幹線ポート９にて受信した中継用パケットがいずれのサブネット２ａ、２ｂに中継する必要があるかを判断してデカプセル部７ａ、７ｂに振り分ける。デカプセル化部７ａ、７ｂは、振り分け部１０にて振り分けられた中継用パケットをデカプセル化して、支線ポート８ａ、８ｂを介してサブネット２ａ、２ｂに中継する。
【００１５】
次に、上記のように構成された実施の形態２の第２のパケット中継装置を備えたパケット中継システムの動作について説明する。この実施の形態２においては、サブネット分断を検出する方法、および、パケットのカプセル化、および、パケットのデカプセル化については上記実施の形態１と同様の動作を行うためその説明は適宜省略する。よってここではこの発明における、第２のパケット中継装置１１における動作の違いである第２のパケット中継装置１１に到着した中継用パケットの振り分けについて説明する。第２のパケット中継装置１１の振り分け部１０において、到着した中継用パケットの送信元ＩＰアドレスを参照し、パケット中継装置１ａのＩＰホストアドレスの場合は、デカプセル化部７ａに振り分け、パケット中継装置１ｂのＩＰホストアドレスの場合は、デカプセル化部７ｂに振り分ける。それ以後の工程は、上記実施の形態１と同様に行う。
【００１６】
上記のように構成された実施の形態２の第２のパケット中継装置を備えたパケット中継システムによれば、上記実施の形態１と同様の効果を奏するのはもちろんのこと、１台の第２のパケット中継装置で、複数のサブネットとの間の迂回経路（冗長経路）を構成することができ、複数のサブネット毎にそれぞれ２台のパケット中継装置を設ける場合に比較し、システム全体のコストを削減することが可能となる。
【００１７】
実施の形態３．
図５はこの発明の実施の形態３における第３のパケット中継装置の構成を示すブロック図、図６は図５に示した第３のパケット中継装置を備えたパケット中継システムの構成を示す図である。図において、上記各実施の形態と同様の部分は同一符号を付して説明を省略する。この実施の形態３では、パケット中継装置１ａおよび第３のパケット中継装置１３が、サブネット２ａおよび幹線ネットワーク３の間に接続され、パケット中継装置１ｂおよび第３のパケット中継装置１３が、サブネット２ｂおよび幹線ネットワーク３との間に接続されている。分断検出部５０はサブネット２ａおよびサブネット２ｂの分断有無をそれぞれ検出している。カプセル化部６０は、サブネット２ａ、２ｂの分断が検出されると、支線ポート８ａ、８ｂにて受信されるＩＰパケットをＩＰパケットヘッダとしてパケット中継装置が始点で他の全てのパケット中継装置が終点と成るマルチキャストの中継用パケットにカプセル化して、幹線ポート９を介して幹線ネットワーク３に中継する。第２の振り分け部１２はデカプセル化部７にてデカプセルされたパケットのアドレスから支線ポート８ａのサブネット２ａか、支線ポート８ｂのサブネット２ｂかに振り分ける。
【００１８】
次に上記のように構成された実施の形態３のパケット中継装置を備えたパケット中継システムの動作について説明する。この実施の形態３においては、サブネット分断を検出する方法、および、パケットのデカプセル化については上記実施の形態１と同様の動作を行うためその説明は適宜省略する。よってここではこの発明における、第３のパケット中継装置１３における動作の違いである第３のパケット中継装置１３のカプセル化およびデカプセル化後のパケットの振り分けについて説明する。第３のパケット中継装置１３は、分断検出部５０にてサブネット２ａ、２ｂのいずれかの分断を検出すると第３のパケット中継装置１３のカプセル化部６０は、端末４ｂまたは端末４ｃから到着したＩＰパケットに新たなＩＰパケットヘッダを付加した中継用パケットを幹線ネットワーク３に中継する。
【００１９】
ＩＰパケットヘッダの送信元ＩＰアドレスは、幹線ネットワーク３に対する第３のパケット中継装置１３のＩＰホストアドレスであり、宛先ＩＰアドレスは、幹線ネットワーク３に対するパケット中継装置１ａ、１ｂの両方を示すＩＰマルチキャストアドレスとする。これにより、第３のパケット中継装置１３が送信した中継用パケットは、パケット中継装置１ａ、１ｂの両方に到着する（図６の矢印の流れ参照）。そして、第３のパケット中継装置１３の第２の振り分け部１２は、デカプセル化部７が復元したＩＰパケットの宛先ＩＰアドレスまたは送信元ＩＰアドレスを参照し、サブネット２ａのＩＰホストアドレスの場合には、支線ポート８ａに振り分け、サブネット２ｂのＩＰホストアドレスの場合には、支線ポート８ｂに振り分ける。
【００２０】
上記のように構成された実施の形態３のパケット中継装置を備えたパケット中継システムによれば、上記実施の形態１と同様の効果を奏するのはもちろんのこと、１台の第３のパケット中継装置で、複数のサブネットの迂回経路を構成することができ、複数のサブネット毎に２台のパケット中継装置を設ける場合に比較し、システム全体のコストを削減することが可能となる。さらに、上記実施の形態２の第２のパケット中継装置に比較し、全ての他のパケット中継装置に中継用パケットを中継しているため、Ｈ／Ｗ構成が単純となり、装置コストを削減することが可能となる。
【００２１】
実施の形態４．
図７はこの発明の実施の形態４におけるパケット中継装置の内部ブロック図である。図８は図７に示したパケット中継装置を備えたパケット中継システムの構成を示す図である。図において、上記各実施の形態と同様の部分は同一符号を付して説明を省略する。尚、この実施の形態４では、上記実施の形態１のパケット中継装置およびパケット中継システムの構成を基に説明するが、上記実施の形態２、３のいずれかのパケット中継装置およびパケット中継システムの構成を基にしても同様に説明でき、同様の効果が得られるものである。ＩＰアドレス学習部１４はサブネット２に接続されている端末４ａ、４ｂ、４ｃの情報を備えており、サブネット２の分断により分断していると検出されたサブネット２上すなわち、パケット中継装置１５ａの場合には端末４ａ、４ｃのＩＰアドレスを学習し、パケット中継装置１５ｂの場合には端末４ｂのＩＰアドレスを学習する。カプセル化部６１はＩＰアドレス学習部１４に未学習のＩＰアドレスの場合のみＩＰパケットをカプセル化する。
【００２２】
次に上記のように構成された実施の形態４のパケット中継装置を備えたパケット中継システムの動作について説明する。この実施の形態４においては、サブネット分断を検出する方法、および、パケットのデカプセル化については上記実施の形態１と同様の動作を行うためその説明は適宜省略する。よってここではこの発明における、パケット中継装置１５ａ、１５ｂにおける動作の違いであるパケット中継装置１５ａ、１５ｂのカプセル化について説明する。このパケット中継装置１５ａ、１５ｂの分断検出部５が、サブネット２の分断を検出時、ＩＰアドレス学習部１４は、サブネット２の分断により端末４ａ、４ｂ、４ｃの関係により送信が不要となるＩＰアドレスを学習する。例えばパケット中継装置１５ａの場合であれば、端末４ａと端末４ｃとのＩＰアドレスを、学習する。次に、到着したＩＰパケットの送信元ＩＰアドレスが未学習ＩＰアドレスである場合、すなわち端末４ｂのＩＰアドレスの場合、カプセル化部６は、ＩＰパケットをカプセル化し、学習済みＩＰアドレス、すなわち、送信が不要である関係のＩＰアドレス、例えば、端末４ａ、端末４ｃの場合などには、そのＩＰパケットを廃棄する。これは端末４ａから端末４ｃへの送信、または端末４ｃから端末４ａへの送信においては中継を行う必要が無いためである。
【００２３】
上記のように構成された実施の形態４のパケット中継装置を備えたパケット中継システムによれば、上記各実施の形態と同様の効果を奏するのはもちろんのこと、パケット中継装置が、カプセル化不要なパケットを廃棄するため、幹線ネットワークに対するトラヒック負荷を軽減することが可能となる。
【００２４】
実施の形態５．
図９はこの発明の実施の形態５におけるパケット中継装置の構成を示したブロック図、図１０は図９に示したパケット中継装置を備えたパケット中継システムの構成を示す図である。図において、上記各実施の形態と同様の部分は同一符号を付して説明を省略する。尚、この実施の形態５では、上記実施の形態１のパケット中継装置およびパケット中継システムの構成を基に説明するが、上記各実施の形態２ないし実施の形態４のいずれかのパケット中継装置およびパケット中継システムの構成を基にしても同様に説明でき、同様の効果が得られる。ルータ部１６は、ＩＰレイヤ中継する手段であり、幹線ネットワーク３に直接接続されている端末４ｅとサブネット２に接続されている端末４ａ、４ｂとのパケットの中継を行うものである。
【００２５】
次に上記のように構成された実施の形態５のパケット中継装置を備えたパケット中継システムの動作について説明する。この実施の形態５においては、サブネット分断を検出する方法、および、パケットのデカプセル化については上記実施の形態１と同様の動作を行うためその説明は適宜省略する。よってここではこの発明における、パケット中継装置１７ａ、１７ｂにおける動作の違いであるパケット中継装置１７ａ、１７ｂのルータ部１６を用いたルータ機能について説明する。パケット中継装置１７ａ、１７ｂの一方は、端末４ａ、４ｂに対するデフォルトゲートウェイとして機能し、端末４ａまたは４ｂと幹線ネットワーク３上に接続された端末４ｄとの間のパケットを中継する。
【００２６】
ここではパケット中継装置１７ａをデフォルトゲートウェイとして説明する。デフォルトゲートウェイであるパケット中継装置１７ａの分断検出部５が、サブネット２の分断を検出した場合、ルータ部１６は、幹線ポート９に到着した端末４ｅ発、端末４ｂ宛のＩＰパケットをカプセル化部６に渡す。これにより、端末４ｅ発、端末４ｂ宛のＩＰパケットは、端末４ｂに到着する（図１０の矢印の流れ参照）。逆に、パケット中継装置１７ａの分断検出部５が、サブネット２の分断を検出した場合、デカプセル化部７は、幹線ポート９に到着した中継用パケットをデカプセル化部７にてデカプセル化し、端末４ｂ発、端末４ｅ宛のＩＰパケットの場合、ルータ部１６に渡す。これにより、端末４ｂ発、端末４ｅ宛のＩＰパケットは、端末４ｅに到着する（図１０の矢印の流れ参照）。
【００２７】
上記のように構成された実施の形態５のパケット中継装置を備えたパケット中継システムによれば、上記各実施の形態と同様の効果を奏するのはもちろんのこと、パケット中継装置がサブネットと幹線ネットワークと間のルータ機能を併せ持つため、サブネット上の端末と幹線ネットワーク上の端末間のパケットを中継することが可能となる。尚、この実施の形態５では、第５のパケット中継装置がＶＲＲＰを実行してもよく、いずれか一方が故障した場合にも、サブネット上の端末と幹線ネットワーク上の端末との間のパケットを中継することが可能となる。
【００２８】
尚、この発明における上記各実施の形態はそれらの構成態様のみに限定されるものではく、例えば、上記各実施の形態の各構成を適時組み合わせることもでき、発明の趣旨を逸脱しない範囲において、各種の変形を加えることが可能であり、それに伴い同様の効果を奏するのはもちろんのことである。
【図面の簡単な説明】
【００２９】
【図１】この発明の実施の形態１のパケット中継装置の構成を示すブロック図である。
【図２】図１に示したパケット中継装置を備えたパケット中継システムの構成を示す図である。
【図３】この発明の実施の形態２における第２のパケット中継装置の構成を示すブロック図である。
【図４】図３に示した第２のパケット中継装置を備えたパケット中継システムの構成を示す図である。
【図５】この発明の実施の形態３における第３のパケット中継装置の構成を示した図である。
【図６】図５に示した第３のパケット中継装置を備えたパケット中継システムの構成を示した図である。
【図７】この発明の実施の形態４におけるパケット中継装置の構成を示したブロック図である。
【図８】図７に示したパケット中継装置を備えたパケット中継システムの構成を示した図である。
【図９】この発明の実施の形態５におけるパケット中継装置の構成を示したブロック図である。
【図１０】図９に示したパケット中継装置を備えたパケット中継システムの構成を示した図である。
【符号の説明】
【００３０】
１ａ，１ｂ，１５ａ，１５ｂ，１７ａ，１７ｂ  パケット中継装置、
２，２ａ，２ｂ  サブネット、３  幹線ネットワーク、
４ａ，４ｂ，４ｃ，４ｄ，４ｅ  端末、５，５ａ，５ｂ，５０  分断検出部、
６，６ａ，６ｂ，６０  カプセル化部、７，７ａ，７ｂ  デカプセル化部、
８，８ａ，８ｂ  支線ポート、９  幹線ポート、１０  振り分け部、
１１  第２のパケット中継装置、１２  第２の振り分け部、
１３  第３のパケット中継装置、１４  ＩＰアドレス学習部、１６  ルータ部。
【図１】
0004531689.tif 000002
【図２】
0004531689.tif 000003
【図３】
0004531689.tif 000004
【図４】
0004531689.tif 000005
【図５】
0004531689.tif 000006
【図６】
0004531689.tif 000007
【図７】
0004531689.tif 000008
【図８】
0004531689.tif 000009
【図９】
0004531689.tif 000010
【図１０】
0004531689.tif 000011